(57)【特許請求の範囲】
【請求項１】
２対：４極の導子から出る２つの電流を十字形にクロス通電することにより生じる干渉波を用いた干渉波治療導子において、
２対：４極の電極の、第１正極と第１負極とにより対をなす第１電極の組み合わせを形成し、第２負極と第２正極とにより対をなす第２電極の組み合わせを形成し、かつそれぞれの組み合わせにおける双方の負極のそれぞれが、人体の施療部位である土踏まずに接触可能とし、双方の正極のそれぞれが土踏まず以外の部位に接触可能とするべく、それぞれの組み合わせを左右に対向配置して成ることを特徴とする干渉波治療導子。
【請求項２】
請求項１に記載の干渉波治療導子であって、
土踏まずに接触可能なる前記双方の負極を、双方の正極に比べて高位にし且つ略円錐台状に形成するとともに、水平方向に移動可能に構成して成ることを特徴とする干渉波治療導子。
【請求項３】
請求項１又は請求項２に記載の干渉波治療導子であって、
土踏まず以外の部位が接触可能なる双方の正極に、複数の小突起を形成して成ることを特徴とする干渉波治療導子。
【発明の詳細な説明】
【０００１】
【発明の属する技術分野】
本発明は、クロス電流を流して患部を治療する干渉波治療導子に関する。
【０００２】
【従来の技術】
従来から適用されている干渉波治療器は、２チャンネル（２対：４極）の導子から出る２つの電流を十字形に交差するかたちで通電するものがある。例えば、図３に示すように、人体の施療を施す部位としての足２３の周囲に、４個の電極２４，２５，２６，２７を取り付け、図４の断面図に示すように、十字形に交差するかたちで電流２９及び３０を流すことにより、電流２９及び３０の交差部分２８に新しい合成的な電流を生じさせ、この合成的な電流を人体の施療を施す部位に集中させることにより、生態に対する作用を増強させて、より治療効果をあげることが可能となるものである（類似例として特開平２ー２９１８７１号公報参照）。
【０００３】
このような干渉波を用いた治療導子としては、例えば、図５に示すように、長さが２００ｍｍ程度の粘着パッド２１をクロスタイプに形成し、それぞれの端部に低周波電流を流す電極３１，３２，３３，３４をゲル材にて形成した干渉波治療導子２０が知られている。
【０００４】
その他に、干渉波でない低周波のみによる足裏用導子も知られている。
【０００５】
【発明が解決しようとする課題】
しかしながら、前記従来の干渉波治療導子２０は、人体の施療を施す部位として膝や肩または関節などの左右に幅がある部位への治療に用いるものであって、これを手足のような幅の狭いものに適用した場合には、干渉波治療導子２０が適用部に巻き付いた状態となり、その結果、巻き付き端において電極間が近接したり、または重なってしまったり、という問題がある。また、干渉波でない低周波のみによる足裏用導子の場合は、頸部や肩部等や足裏の深い部位に対する治療が困難である、という問題がある。
【０００６】
よって、本発明は、前記問題点に鑑みてなされたものであり、左右幅の少ない人体の施療を施す部位、例えば足裏または手の平を乗せるだけで干渉波治療を行うことができる干渉波治療導子の提供を目的とする。
【０００７】
【課題を解決するための手段】
上記目的を達成するため、請求項１に記載の発明は、２対：４極の導子から出る２つの電流を十字形にクロス通電することにより生じる干渉波を用いた干渉波治療導子において、２対：４極の電極の、第１正極と第１負極とにより対をなす第１電極の組み合わせを形成し、第２負極と第２正極とにより対をなす第２電極の組み合わせを形成し、かつそれぞれの組み合わせにおける双方の負極のそれぞれが、人体の施療部位である土踏まずに接触可能とし、双方の正極のそれぞれが土踏まず以外の部位に接触可能とするべく、それぞれの組み合わせを左右に対向配置して成ることを特徴とする。
【０００８】
請求項１に記載の発明によれば、２対：４極の第１電極に、人体の土踏まず以外の部位を載置した際に、土踏まず及び土踏まず以外の足の第２電極が接触する構成であるので、人体の土踏まず以外の足を乗せるだけでクロス通電を行うことができ、干渉波治療が可能となる。従って、治療器の取扱いが容易になる。
【０００９】
請求項２に記載の発明は、請求項１に記載の干渉波治療導子であって、土踏まずに接触可能なる前記双方の負極を、双方の正極に比べて高位にし且つ略円錐台状に形成するとともに、水平方向に移動可能に構成して成ることを特徴とする
【００１０】
請求項２に記載の発明によれば、人体の施療部である土踏まずに接触可能なる双方の負極を双方の正極に比べて高位にしたことにより、土踏まずへの接地力を高めることができる。前記双方の負極を、円錐台状に形成することにより、土踏まずと電極との接触が容易になるとともに、土踏まずの高さに合わせて適切な位置にずらすことが可能となる。
【００１１】
請求項３に記載の発明は、請求項１又は請求項２に記載の干渉波治療導子であって、土踏まず以外の部位が接触可能なる双方の正極に、複数の小突起を形成して成ることを特徴とする。
【００１２】
請求項３に記載の発明によれば、前記双方の正極の面には、複数の小突起を形成してなるので、電流を効果的に土踏まずに流すことができる。
【００１３】
【発明の実施の形態】
以下、本発明の実施の形態を図面に基づいて説明する。
【００１４】
図１及び図２は、本発明の実施の形態を示し、図１は干渉波治療導子の平面図、図２は図１の側面図である。
【００１５】
本発明の干渉波治療導子１は、図１において、第１正極２と、第２負極３、及び第２正極４と第１負極５のそれぞれが対をなした２対：４極の導子にて構成し、第１正極２と第１負極５との組み合わせによりＡ側の導子を構成し、第２正極４と第２負極３との組み合わせによりＢ側の導子を構成している。
【００１６】
前記Ａ側及びＢ側電極における第２負極３及び第１負極５は、その面に人体の施療部位外の部位である足７ａ，７ｂを載置した際に、施療部である足裏の土踏まず７ａ’，７ｂ’の位置に対応し、正極２及び４は土踏まず７ａ’，７ｂ’以外の位置に対応していて、足７ａ，７ｂを載置しただけで、足７ａ，７ｂ裏の所要の位置に電極２、３、４、５のそれぞれが接触する構成となっている。
【００１７】
また、足７ａ，７ｂの土踏まず７ａ’，７ｂ’に対応する第２負極３及び第１負極５は、第１正極２及び第２正極４に比べて高位且つ土踏まず７ａ’，７ｂ’が接触する面を略円錐台状（図２）に形成することにより、傾斜面にて土踏まず７ａ’，７ｂ’に対する接触を容易にし、さらにスライド溝８を介して左右に移動することを可能にすることにより、土踏まず７ａ’，７ｂ’の高さに合わせて位置を調整することが可能となる。さらに、第１正極２及び第２正極４の面には、足７ａ，７ｂの土踏まず７ａ’，７ｂ’以外の部分を部分的に強く接触させて通電効果をあげるために、第１正極２及び第２正極４面に多数の球面状小突起６を形成している。
【００１８】
また、第１正極２及び第２正極４の面に足７ａ，７ｂを載置した際に、足７ａ，７ｂの指に第１正極２及び第２正極４が接すると電流により指が痛く感じることが考えられるので、指の部分に第１正極２及び第２正極４が接触しないように指が干渉波治療導子１から外に出るように第１正極２及び第２正極４の前後幅を狭く形成している。
【００１９】
この構成の干渉波治療導子１を用いて足７ａ、７ｂ裏の治療する場合は、第２負極３及び第１負極５の位置を左右に調整して土踏まず７ａ’、７ｂ’が接触しやすい位置にずらした後、Ａ面及びＢ面のそれぞれに左右の足７ａ、７ｂを載置することにより、図１及び図２に示すように土踏まず７ａ’、７ｂ’を第２負極３及び第１負極５に接触させ、土踏まず７ａ’、７ｂ’以外の部分を第１正極２及び第２正極４に接触させる。
【００２０】
この場合、Ａ面における第１正極２からの電流は右足７ａの土踏まず７ａ’以外の部位から上体を通って左足７ｂの土踏まず７ｂ’に達し、第２負極３との間、即ち、一方の１対の第１正極２と第２負極３との間が通電する。一方、Ｂ面における第２正極４からの電流は左足７ｂの土踏まず７ｂ’以外の部分から上体を通って右足７ａの土踏まず７ａ’に達し、第１負極５との間、即ち、Ａ側の電極間が通電する。
【００２１】
これにより、２対それぞれのＡ側の電極、Ｂ側の電極間をクロス通電したかたちになり、通電したそれぞれの電流が人体の施療部である土踏まず７ａ’、７ｂ’の深部にて交差して、その部分に新たな合成的な干渉波電流電流を生じ、この干渉波電流が局部に集中することにより、施療部である土踏まず７ａ’、７ｂ’を効果的に治療することが可能となる。
【００２２】
なお、本発明の干渉波治療導子１の施療は、足裏に限らず、手の平、又は腰等の治療に適用することも可能である。
【００２３】
【発明の効果】
請求項１に記載の発明の効果は、２対：４極の第１電極に、人体の土踏まず以外の部位を載置した際に、土踏まず及び土踏まず以外の足の第２電極が接触する構成であるので、人体の土踏まず以外の足を乗せるだけでクロス通電を行うことができ、干渉波治療が可能となる。従って、治療器の取扱いが容易になる。
【００２４】
請求項２に記載の発明の効果は、人体の施療部である土踏まずに接触可能なる双方の負極を双方の正極に比べて高位にしたことにより、土踏まずへの接地力を高めることができる。前記双方の負極を、円錐台状に形成することにより、土踏まずと電極との接触が容易になるとともに、土踏まずの高さに合わせて適切な位置にずらすことが可能となる。
【００２５】
請求項３の効果は、前記双方の正極の面には、複数の小突起を形成してなるので、電流を効果的に土踏まずに流すことができる。
【図面の簡単な説明】
【図１】本発明の実施の形態を示す干渉波治療導子の平面図。
【図２】図１の側面図。
【図３】従来の干渉波治療方法の説明図。
【図４】干渉波治療原理の説明図。
【図５】従来の干渉波治療導子の平面図。
【符号の説明】
１  干渉波治療導子
２，４  正極
３，５  負極
６  小突起
７  足
８  スライド溝
【図１】
0004432125.tif 000002
【図２】
0004432125.tif 000003
【図３】
0004432125.tif 000004
【図４】
0004432125.tif 000005
【図５】
0004432125.tif 000006